(57)【要約】【課題】本発明は、スライドレールの停止時に発生する音を消音すると共に、その時の衝撃を緩和する効果を有するスライドレールのストッパー部材関するものであり。簡単な構造でコンパクトに構成で、安価に製作でき、衝突音の発生を防止すると共に、衝突時の衝撃を緩和し、長年の使用にも耐ええるスライドレールのストッパー部材を提供することを課題とする。【解決手段】  レールに取付けられるストッパー部材であって、連結基部と、移動側レールを停止させるストッパー突部と、移動側レールの停止する手前で、移動側スライドレールの摺動によって弾性変形する弾性ストッパー片を有し、連結基部と、ストッパー突部と、弾性ストッパー片は合成樹脂材にて一体に形成されると共に、弾性ストッパー片は、スライドレールの最短収縮時、あるいは、最大伸長時、弾性変形した状態で連結基部との間に所定間隙を有するものである。【選択図】図５
2015195958.tif 000002
【特許請求の範囲】
【請求項１】
移動側レール、あるいは、移動側レールを摺動自在に保持するレールに取付けられるストッパー部材であって、移動側レール、あるいは、移動側レールを摺動自在に保持するレールに連結される連結基部と、スライドレールの最短収縮時、あるいは、最大伸長時に移動側レールを停止させるストッパー突部と、スライドレールの最短収縮時、あるいは、最大伸長時の手前で、移動側スライドレールの摺動によって弾性変形する弾性ストッパー片を有し、連結基部と、ストッパー突部と、弾性ストッパー片は合成樹脂材にて一体に形成されると共に、弾性ストッパー片は、スライドレールの最短収縮時、あるいは、最大伸長時、弾性変形した状態で連結基部との間に所定間隙を有することを特徴とするスライドレールのストッパー部材。
【請求項２】
移動側レールと、ボールを回転自在に保持する移動側ボールリテーナーを介して移動側レールを摺動自在に保持する中間レールと、ボールを回転自在に保持する固定側ボールリテーナーを介して、中間レールを摺動自在に保持する固定側レールと、中間レールの伸長側端部内面で移動側レール側に取付けられた前ストッパー部材と、移動側レールの収縮側端部内面に取付られる後ストッパー部材よりなるスライドレールのストッパー装置において、前ストッパー部材は、中間レールの伸長側端部内面に連結される連結基部と、スライドレールの最短収縮時に、移動側レールの伸長側端部に形成された移動側レール前端ストッパーが当接する前ストッパー突部と、移動側レールの収縮時、移動側レール前端ストッパーが当接して弾性変形する前弾性ストッパー片を有し、連結基部と、前ストッパー突部と、前弾性ストッパー片は合成樹脂材にて一体に形成されると共に、前弾性ストッパー片は、その伸長側端面が前ストッパー突部の伸長側端面より所定寸法前方に位置し、スライドレールの最短収縮時には弾性変形した状態で連結基部との間に所定間隙を有することを特徴とするスライドレールのストッパー装置。
【請求項３】
移動側レールと、ボールを回転自在に保持する固定側ボールリテーナーを介して、移動側レールを摺動自在に保持する固定側レールと、固定側レールの伸長側端部内面に取付けられる前ストッパー部材と移動側レールの収縮側端部内面に取付られる後ストッパー部材よりなるスライドレールのストッパー装置において、前ストッパー部材は、固定側レールの伸長側端部内面に連結される連結基部と、スライドレールの最短収縮時に、移動側レールの伸長側端部に形成された移動側レール伸長側端ストッパーが当接する前ストッパー突部と、移動側レールの収縮時、移動側レール前端ストッパーが当接して弾性変形する前弾性ストッパー片を有し、連結基部と、前ストッパー突部と、前弾性ストッパー片は合成樹脂材にて一体に形成されると共に、前弾性ストッパー片は、その伸長側端面が前ストッパー突部の伸長側端面より所定寸法前方に位置し、スライドレールの最短収縮時には弾性変形した状態で連結基部との間に所定間隙を有することを特徴とするスライドレールのストッパー装置。
【請求項４】
移動側レールと、ボールを回転自在に保持する移動側ボールリテーナーを介して移動側レールを摺動自在に保持する中間レールと、ボールを回転自在に保持する固定側ボールリテーナーを介して、中間レールを摺動自在に保持する固定側レールと、中間レールの伸長側端部内面で移動側レール側に取付けられた前ストッパー部材と、移動側レールの収縮側端部内面に取付られる後ストッパー部材よりなるスライドレールのストッパー装置において、前ストッパー部材は、中間レールの伸長側端部内面に連結される連結基部と、スライドレールの最大伸長時に、移動側ボールリテーナーの伸長側端部が当接する後ストッパー突部と、移動側レールの伸長時、移動側ボールリテーナーの伸長側端部が当接して弾性変形する後弾性ストッパー片を有し、連結基部と、後ストッパー突部と、後弾性ストッパー片は合成樹脂材にて一体に形成されると共に、後弾性ストッパー片は、その収縮側端面が後ストッパー突部の収縮側端面より所定寸法後方に位置し、スライドレールの最大伸長時には弾性変形した状態で連結基部との間に所定間隙を有することを特徴とするスライドレールのストッパー装置。
【請求項５】
移動側レールと、ボールを回転自在に保持する固定側ボールリテーナーを介して、移動側レールを摺動自在に保持する固定側レールと、固定側レールの伸長側端部内面に取付けられる前ストッパー部材と、移動側レールの収縮側端部内面に取付られる後ストッパー部材よりなるスライドレールのストッパー装置において、前ストッパー部材は、固定側レールの伸長側端部内面に連結される連結基部と、スライドレールの最大伸長時に、固定側ボールリテーナーの伸長側端部が当接する後ストッパー突部と、移動側レールの伸長時、固定側ボールリテーナーの伸長側端部が当接して弾性変形する後弾性ストッパー片を有し、連結基部と後ストッパー突部と、後弾性ストッパー片は合成樹脂材にて一体に形成されると共に、後弾性ストッパー片は、その収縮側端面が後ストッパー突部の収縮側端面より所定寸法後方に位置し、スライドレールの最大伸長時には弾性変形した状態で連結基部との間に所定間隙を有することを特徴とするスライドレールのストッパー装置。
【請求項６】
移動側レールと、ボールを回転自在に保持する移動側ボールリテーナーを介して移動側レールを摺動自在に保持する中間レールと、ボールを回転自在に保持する固定側ボールリテーナーを介して、中間レールを摺動自在に保持する固定側レールと、中間レールの伸長側端部内面で移動側レール側に取付けられた前ストッパー部材と、移動側レールの収縮側端部内面に取付られる後ストッパー部材よりなるスライドレールのストッパー装置において、後ストッパー部材は、移動側レールの収縮側端部内面に連結される後部材連結基部と、スライドレールの最大伸長時に、移動側ボールリテーナーの収縮側端部に当接する後部材ストッパー突部と、移動側レールの伸長時、移動側ボールリテーナーの収縮側端部に当接して弾性変形する後部材弾性ストッパー片を有し、連結基部と、後部材ストッパー突部と、後部材弾性ストッパー片は合成樹脂材にて一体に形成されると共に、後部材弾性ストッパー片は、その伸長側端面が後部材ストッパー突部の伸長側端面より所定寸法前方に位置し、スライドレールの最大伸長時には弾性変形した状態で連結基部との間に所定間隙を有することを特徴とするスライドレールのストッパー装置。
【請求項７】
移動側レールと、ボールを回転自在に保持する固定側ボールリテーナーを介して、移動側レールを摺動自在に保持する固定側レールと、固定側レールの伸長側端部内面に取付けられる前ストッパー部材と、移動側レールの収縮側端部内面に取付られる後ストッパー部材よりなるスライドレールのストッパー装置において、後ストッパー部材は、移動側レールの収縮側端部内面に連結される後部材連結基部と、スライドレールの最大伸長時に、固定側ボールリテーナーの収縮側端部に当接する後部材ストッパー突部と、移動側レールの伸長時、固定側ボールリテーナーの収縮側端部に当接して弾性変形する後部材弾性ストッパー片を有し、連結基部と、後部材ストッパー突部と、後部材弾性ストッパー片は合成樹脂材にて一体に形成されると共に、後部材弾性ストッパー片は、その伸長側端面が後部材ストッパー突部の伸長側端面より所定寸法前方に位置し、スライドレールの最大伸長時には弾性変形した状態で連結基部との間に所定間隙を有することを特徴とするスライドレールのストッパー装置。
【請求項８】
移動側レールと、ボールを回転自在に保持する移動側ボールリテーナーを介して移動側レールを摺動自在に保持する中間レールと、ボールを回転自在に保持する固定側ボールリテーナーを介して、中間レールを摺動自在に保持する固定側レールと、中間レールの伸長側端部内面で移動側レール側に取付けられた前ストッパー部材と、移動側レールの収縮側端部内面に取付られる後ストッパー部材よりなるスライドレールのストッパー装置において、後ストッパー部材は、移動側レールの収縮側端部内面に連結される後部材連結基部と、スライドレールの最大伸長時に、移動側ボールリテーナーの収縮側端部に当接する後部材ストッパー突部と、移動側レールの伸長時、移動側ボールリテーナーの収縮側端部に当接して弾性変形する後部材弾性ストッパー片と、固定側レールの収縮側端部に設けられた引き込みガイド部材に連係する引き込み係合部を有し、連結基部と、後部材ストッパー突部と、後部材弾性ストッパー片と、引き込み係合部は合成樹脂材にて一体に形成されると共に、後部材弾性ストッパー片は、その伸長側端面が後部材ストッパー突部の伸長側端面より所定寸法前方に位置し、スライドレールの最大伸長時には弾性変形した状態で連結基部との間に所定間隙を有することを特徴とするスライドレールのストッパー装置。
【請求項９】
移動側レールと、ボールを回転自在に保持する固定側ボールリテーナーを介して、移動側レールを摺動自在に保持する固定側レールと、固定側レールの伸長側端部内面に取付けられる前ストッパー部材と、移動側レールの収縮側端部内面に取付られる後ストッパー部材よりなるスライドレールのストッパー装置において、後ストッパー部材は、移動側レールの収縮側端部内面に連結される後部材連結基部と、スライドレールの最大伸長時に、固定側ボールリテーナーの収縮側端部に当接する後部材ストッパー突部と、移動側レールの伸長時、固定側ボールリテーナーの収縮側端部に当接して弾性変形する後部材弾性ストッパー片と、固定側レールの収縮側端部に設けられた引き込みガイド部材に連係する引き込み係合部を有し、連結基部と、後部材ストッパー突部と、後部材弾性ストッパー片と、引き込み係合部は合成樹脂材にて一体に形成されると共に、後部材弾性ストッパー片は、その伸長側端面が後部材ストッパー突部の伸長側端面より所定寸法前方に位置し、スライドレールの最大伸長時には弾性変形した状態で連結基部との間に所定間隙を有することを特徴とするスライドレールのストッパー装置。
【請求項１０】
移動側レールと、ボールを回転自在に保持する移動側ボールリテーナーを介して移動側レールを摺動自在に保持する中間レールと、ボールを回転自在に保持する固定側ボールリテーナーを介して、中間レールを摺動自在に保持する固定側レールと、中間レールの伸長側端部内面で移動側レール側に取付けられた前ストッパー部材と、移動側レールの収縮側端部内面に取付られる後ストッパー部材よりなるスライドレールのストッパー装置において、前ストッパー部材は、中間レールの伸長側端部内面に連結される連結基部と、スライドレールの最短収縮時に、移動側レールの伸長側端部に形成された移動側レール伸長側端ストッパーが当接する前ストッパー突部と、移動側レールの収縮時、移動側レール前端ストッパーが当接して弾性変形する前弾性ストッパー片と、スライドレールの最大伸長時に、移動側ボールリテーナーの伸長側端部が当接する後ストッパー突部と、移動側レールの伸長時、移動側ボールリテーナーの伸長側端部が当接して弾性変形する後弾性ストッパー片を有し、連結基部と、前ストッパー突部と、前弾性ストッパー片と、後ストッパー突部と、後弾性ストッパー片は合成樹脂材にて一体に形成されると共に、前弾性ストッパー片は、その伸長側端面が前ストッパー突部の伸長側端面より所定寸法前方に位置し、スライドレールの最短収縮時には弾性変形した状態で連結基部との間に所定間隙を有し、後弾性ストッパー片は、その収縮側端面が後ストッパー突部の収縮側端面より所定寸法後方に位置し、スライドレールの最大伸長時には弾性変形した状態で連結基部との間に所定間隙を有し、後ストッパー部材は、移動側レールの収縮側端部内面に連結される後部材連結基部と、スライドレールの最大伸長時に、移動側ボールリテーナーの収縮側端部に当接する後部材ストッパー突部と、移動側レールの伸長時、移動側ボールリテーナーの収縮側端部に当接して弾性変形する後部材弾性ストッパー片を有し、連結基部と、後部材ストッパー突部と、後部材弾性ストッパー片は合成樹脂材にて一体に形成されると共に、後部材弾性ストッパー片は、その伸長側端面が後部材ストッパー突部の伸長側端面より所定寸法前方に位置し、スライドレールの最大伸長時には弾性変形した状態で連結基部との間に所定間隙を有することを特徴とするスライドレールのストッパー装置。
【請求項１１】
移動側レールと、ボールを回転自在に保持する固定側ボールリテーナーを介して、移動側レールを摺動自在に保持する固定側レールと、固定側レールの伸長側端部内面に取付けられる前ストッパー部材と、移動側レールの収縮側端部内面に取付られる後ストッパー部材よりなるスライドレールのストッパー装置において、前ストッパー部材は、固定側レールの伸長側端部内面に連結される連結基部と、スライドレールの最短収縮時に、移動側レールの伸長側端部に形成された移動側レール前端ストッパーが当接する前ストッパー突部と、移動側レールの収縮時、移動側レール前端ストッパーが当接して弾性変形する前弾性ストッパー片と、スライドレールの最大伸長時に、固定側ボールリテーナーの伸長側端部が当接する後ストッパー突部と、移動側レールの伸長時、固定側ボールリテーナーの伸長側端部が当接して弾性変形する後弾性ストッパー片を有し、連結基部と、前ストッパー突部と、前弾性ストッパー片と、後ストッパー突部と、後弾性ストッパー片は合成樹脂材にて一体に形成されると共に、前弾性ストッパー片は、その伸長側端面が前ストッパー突部の伸長側端面より所定寸法前方に位置し、スライドレールの最短収縮時には弾性変形した状態で連結基部との間に所定間隙を有し、後弾性ストッパー片は、その収縮側端面が後ストッパー突部の収縮側端面より所定寸法後方に位置し、スライドレールの最大伸長時には弾性変形した状態で連結基部との間に所定間隙を有し、後ストッパー部材は、移動側レールの収縮側端部内面に連結される後部材連結基部と、スライドレールの最大伸長時に、固定側ボールリテーナーの収縮側端部に当接する後部材ストッパー突部と、移動側レールの伸長時、固定側ボールリテーナーの収縮側端部に当接して弾性変形する後部材弾性ストッパー片を有し、連結基部と、後部材ストッパー突部と、後部材弾性ストッパー片と、引き込み係合部は合成樹脂材にて一体に形成されると共に、後部材弾性ストッパー片は、その伸長側端面が後部材ストッパー突部の伸長側端面より所定寸法前方に位置し、スライドレールの最大伸長時には弾性変形した状態で連結基部との間に所定間隙を有することを特徴とするスライドレールのストッパー装置。
【請求項１２】
移動側レールと、ボールを回転自在に保持する移動側ボールリテーナーを介して移動側レールを摺動自在に保持する中間レールと、ボールを回転自在に保持する固定側ボールリテーナーを介して、中間レールを摺動自在に保持する固定側レールと、中間レールの伸長側端部内面で移動側レール側に取付けられた前ストッパー部材と、移動側レールの収縮側端部内面に取付られる後ストッパー部材よりなるスライドレールのストッパー装置において、前ストッパー部材は、中間レールの伸長側端部内面に連結される連結基部と、スライドレールの最短収縮時に、移動側レールの伸長側端部に形成された移動側レール前端ストッパーが当接する前ストッパー突部と、移動側レールの収縮時、移動側レール前端ストッパーが当接して弾性変形する前弾性ストッパー片と、スライドレールの最大伸長時に、移動側ボールリテーナーの伸長側端部が当接する後ストッパー突部と、移動側レールの伸長時、移動側ボールリテーナーの伸長側端部が当接して弾性変形する後弾性ストッパー片を有し、連結基部と、前ストッパー突部と、前弾性ストッパー片と、後ストッパー突部と、後弾性ストッパー片は合成樹脂材にて一体に形成されると共に、前弾性ストッパー片は、その伸長側端面が前ストッパー突部の伸長側端面より所定寸法前方に位置し、スライドレールの最短収縮時には弾性変形した状態で連結基部との間に所定間隙を有し、後弾性ストッパー片は、その収縮側端面が後ストッパー突部の収縮側端面より所定寸法後方に位置し、スライドレールの最大伸長時には弾性変形した状態で連結基部との間に所定間隙を有し、後ストッパー部材は、移動側レールの収縮側端部内面に連結される後部材連結基部と、スライドレールの最大伸長時に、移動側ボールリテーナーの収縮側端部に当接する後部材ストッパー突部と、移動側レールの伸長時、移動側ボールリテーナーの収縮側端部に当接して弾性変形する後部材弾性ストッパー片と、固定側レールの収縮側端部に設けられた引き込みガイド部材に連係する引き込み係合部を有し、後部材連結基部と、後部材ストッパー突部と、後部材弾性ストッパー片と、引き込み係合部は合成樹脂材にて一体に形成されると共に、後部材弾性ストッパー片は、その伸長側端面が後部材ストッパー突部の伸長側端面より所定寸法前方に位置し、スライドレールの最大伸長時には弾性変形した状態で後部材連結基部との間に所定間隙を有することを特徴とするスライドレールのストッパー装置。
【請求項１３】
移動側レールと、ボールを回転自在に保持する固定側ボールリテーナーを介して移動側レールを摺動自在に保持する固定側レールと、移動側レールの伸長側端部内面に取付けられた前ストッパー部材と、移動側レールの収縮側端部内面に取付られた後ストッパー部材よりなるスライドレールのストッパー装置において、前ストッパー部材は、固定側レールの伸長側端部内面に連結される連結基部と、スライドレールの最短収縮時に、移動側レールの伸長側端部に形成された移動側レール前端ストッパーが当接する前ストッパー突部と、移動側レールの収縮時、移動側レール前端ストッパーが当接して弾性変形する前弾性ストッパー片と、スライドレールの最大伸長時に、固定側ボールリテーナーの伸長側端部が当接する後ストッパー突部と、移動側レールの伸長時、固定側ボールリテーナーの伸長側端部が当接して弾性変形する後弾性ストッパー片を有し、連結基部と、前ストッパー突部と、前弾性ストッパー片と、後ストッパー突部と、後弾性ストッパー片は合成樹脂材にて一体に形成されると共に、前弾性ストッパー片は、その伸長側端面が前ストッパー突部の伸長側端面より所定寸法前方に位置し、スライドレールの最短収縮時には弾性変形した状態で連結基部との間に所定間隙を有し、後弾性ストッパー片は、その収縮側端面が後ストッパー突部の収縮側端面より所定寸法後方に位置し、スライドレールの最大伸長時には弾性変形した状態で連結基部との間に所定間隙を有し、後ストッパー部材は、移動側レールの収縮側端部内面に連結される後部材連結基部と、スライドレールの最大伸長時に、固定側ボールリテーナーの収縮側端部に当接する後部材ストッパー突部と、移動側レールの伸長時、移動側ボールリテーナーの収縮側端部に当接して弾性変形する後部材弾性ストッパー片と、固定側レールの収縮側端部に設けられた引き込みガイド部材に連係する引き込み係合部を有し、後部材連結基部と、後部材ストッパー突部と、後部材弾性ストッパー片と、引き込み係合部は合成樹脂材にて一体に形成されると共に、後部材弾性ストッパー片は、その伸長側端面が後部材ストッパー突部の伸長側端面より所定寸法前方に位置し、スライドレールの最大伸長時には弾性変形した状態で後部材連結基部との間に所定間隙を有することを特徴とするスライドレールのストッパー装置。
【発明の詳細な説明】
【技術分野】
【０００１】
本発明は、スライドレールの最大伸長時、あるいは、最短収縮時に発生する音を消音すると共に、その時の衝撃を緩和する効果を有するスライドレールのストッパー部材およびストッパー装置に関するものである。
【背景技術】
【０００２】
従来、スライドレールは、固定側レールと、該固定側レールとボールを回転自在に保持するボールリテーナーを介して摺動自在となした移動側レールよりなり、固定側レールの基板前端が内側方向に折り曲げられて固定側レール前端ストッパーが形成され、移動側レールの基板の後端と前端が内側方向に折り曲げられて移動側レール後端ストッパーと移動側レール前端ストッパーが形成されていた。
そのため、移動側レールが引き出されて、移動側レール後端ストッパー内面とボールリテーナーの後端が衝突し、同時に、ボールリテーナーの前端面と固定側レール前端ストッパーの内面が衝突する最大伸長時と、移動側レールが収縮されて、移動側レール前端ストッパー内面と固定側レールの固定側レール前端ストッパーの外面が衝突する最短収縮時に、固定側レール前端ストッパーとボールリテーナー、あるいは、移動側レール前端ストッパー内面と固定側レールの固定側レール前端ストッパーの衝突による金属音が発生していた。
そのため、静寂を必要とする場所で使用される機器に、このような不快な金属音が発生するスライドレールを使用する事ができないばかりか、衝突時の衝撃による機器への影響も懸念されていた。
【０００３】
そして、スライドレールの最大伸長時に発生する金属音の問題を解決するため、先行技術文献１（特許文献１）に示すように、ボールリテーナーの前後端部に摺動方向に突出する緩衝部材を設けたものが提供されてきた。
しかしながら、上記スライドレールは、スライドレールの最大伸長はボールリテーナーの長さに左右されるので、スライドレールの最大伸長を同じにする為には、緩衝部材の厚みに相当する長さ分、ボールリテーナーを短く形成する必要がある。すると、スライドレールの最短収縮状態では、固定側レールと移動側レール間に位置するボールリテーナーの摺動方向の寸法が短くなる（ボールの数が少なくなる。）ので、ボールリテーナーが位置しない移動側レールの摺動方向両端部の上下方向のガタ付きが大きくなり、安定性、強度面で問題が生じ、最大伸長状態を所望通り大きくする事が出来ず、ボールリテーナーに消音のための加工、あるいはストッパー部材取付けるには限界があった。
【０００４】
一方、最短収縮時に発生する金属音の問題を解決する手段として、先行技術文献２（特許文献２）に示すように、固定側レールの伸長側端部内面に合成樹脂製のストッパー部材を設け、ストッパー部材に固定側レールの伸長側端部より外方に突出してストッパー部材の基盤前端にハの字形に形成された弾性ストッパー部が設けられ、スライドレールの最短収縮時に移動側レールの前端ストッパーの内面が弾性ストッパー部に衝突して最短収縮状態となる、衝突音の発生と、衝突時の衝撃の緩和を図ったストッパー装置も提供されてきた。
しかしながら、上記構成のものは、衝突時の衝撃を緩和する弾性ストッパー部がスライドレールの最短収縮時のストッパー機能を兼ねているので、弾性変形時に弾性ストッパー部の根元部分に（ストパー部材の基盤前端との連続部分に）過剰な付加（衝撃加重）がかかり、その繰り返しによる疲労から、根元部分に亀裂が発生し、長年の使用に耐え得ないという問題があった。
【先行技術文献】
【特許文献】
【０００５】
【特許文献１】実開昭５９―５９１４６号公報
【特許文献２】特許第３６３９０３６号公報
【発明の概要】
【発明が解決しようとする課題】
【０００６】
本発明は、簡単な構造でコンパクトに構成でき、部品点数も少なく安価に製作でき、作業性にも優れ、衝突音の発生を防止すると共に、衝突時の衝撃を緩和し、長年の使用にも耐ええるスライドレールのストッパー部材およびストッパー装置を提供することを課題とする。
【課題を解決するための手段】
【０００７】
上記課題を解決する為、本発明が第１の手段として構成したところは、移動側レール、あるいは、移動側レールを摺動自在に保持するレールに取付けられるストッパー部材であって、移動側レール、あるいは、移動側レールを摺動自在に保持するレールに連結される連結基部と、スライドレールの最短収縮時、あるいは、最大伸長時に移動側レールを停止させるストッパー突部と、スライドレールの最短収縮時、あるいは、最大伸長時の手前で、移動側スライドレールの摺動によって弾性変形する弾性ストッパー片を有し、連結基部と、ストッパー突部と、弾性ストッパー片は合成樹脂材にて一体に形成されると共に、弾性ストッパー片は、スライドレールの最短収縮時、あるいは、最大伸長時、弾性変形した状態で連結基部との間に所定間隙を有するものである。
【０００８】
上記課題を解決する為、本発明が第２の手段として構成したところは、移動側レールと、ボールを回転自在に保持する移動側ボールリテーナーを介して移動側レールを摺動自在に保持する中間レールと、ボールを回転自在に保持する固定側ボールリテーナーを介して、中間レールを摺動自在に保持する固定側レールと、中間レールの伸長側端部内面で移動側レール側に取付けられた前ストッパー部材と、移動側レールの後端部内面に取付られる後ストッパー部材よりなるスライドレールのストッパー装置において、前ストッパー部材は、中間レールの伸長側端部内面に連結される連結基部と、スライドレールの最短収縮時に、移動側レールの伸長側端部に形成された移動側レール前端ストッパーが当接する前ストッパー突部と、移動側レールの収縮時、移動側レール前端ストッパーが当接して弾性変形する前弾性ストッパー片を有し、連結基部と、前ストッパー突部と、前弾性ストッパー片は合成樹脂材にて一体に形成されると共に、前弾性ストッパー片は、その伸長側端面が前ストッパー突部の伸長側端面より所定寸法伸長側に位置し、スライドレールの最短収縮時には弾性変形した状態で連結基部との間に所定間隙を有するものである。
【０００９】
上記課題を解決する為、本発明が第３の手段として構成したところは、移動側レールと、ボールを回転自在に保持する固定側ボールリテーナーを介して、移動側レールを摺動自在に保持する固定側レールと、固定側レールの伸長側端部内面に取付けられる前ストッパー部材と移動側レールの後端部内面に取付られる後ストッパー部材よりなるスライドレールのストッパー装置において、前ストッパー部材は、固定側レールの伸長側端部内面に連結される連結基部と、スライドレールの最短収縮時に、移動側レールの伸長側端部に形成された移動側レール前端ストッパーが当接する前ストッパー突部と、移動側レールの収縮時、移動側レール前端ストッパーが当接して弾性変形する前弾性ストッパー片を有し、連結基部と、前ストッパー突部と、前弾性ストッパー片は合成樹脂材にて一体に形成されると共に、前弾性ストッパー片は、その伸長側端面が前ストッパー突部の伸長側端面より所定寸法伸長側に位置し、スライドレールの最短収縮時には弾性変形した状態で連結基部との間に所定間隙を有するものである。
【００１０】
上記課題を解決する為、本発明が第４の手段として構成したところは、移動側レールと、ボールを回転自在に保持する移動側ボールリテーナーを介して移動側レールを摺動自在に保持する中間レールと、ボールを回転自在に保持する固定側ボールリテーナーを介して、中間レールを摺動自在に保持する固定側レールと、中間レールの伸長側端部内面で移動側レール側に取付けられた前ストッパー部材と、移動側レールの収縮側端部内面に取付られる後ストッパー部材よりなるスライドレールのストッパー装置において、前ストッパー部材は、中間レールの伸長側端部内面に連結される連結基部と、スライドレールの最大伸長時に、移動側ボールリテーナーの伸長側端部が当接する後ストッパー突部と、移動側レールの伸長時、移動側ボールリテーナーの伸長側端部が当接して弾性変形する後弾性ストッパー片を有し、連結基部と、後ストッパー突部と、後弾性ストッパー片は合成樹脂材にて一体に形成されると共に、後弾性ストッパー片は、その収縮側端面が後ストッパー突部の収縮側端面より所定寸法後方に位置し、スライドレールの最大伸長時には弾性変形した状態で連結基部との間に所定間隙を有するものである。
【００１１】
上記課題を解決する為、本発明が第５の手段として構成したところは、移動側レールと、ボールを回転自在に保持する固定側ボールリテーナーを介して、移動側レールを摺動自在に保持する固定側レールと、固定側レールの伸長側端部内面に取付けられる前ストッパー部材と、移動側レールの収縮側端部内面に取付られる後ストッパー部材よりなるスライドレールのストッパー装置において、前ストッパー部材は、固定側レールの伸長側端部内面に連結される連結基部と、スライドレールの最大伸長時に、固定側ボールリテーナーの伸長側端部が当接する後ストッパー突部と、移動側レールの伸長時、固定側ボールリテーナーの伸長側端部が当接して弾性変形する後弾性ストッパー片を有し、連結基部と後ストッパー突部と、後弾性ストッパー片は合成樹脂材にて一体に形成されると共に、後弾性ストッパー片は、その収縮側端面が後ストッパー突部の収縮側端面より所定寸法後方に位置し、スライドレールの最大伸長時には弾性変形した状態で連結基部との間に所定間隙を有するものである。
【００１２】
上記課題を解決する為、本発明が第６の手段として構成したところは、移動側レールと、ボールを回転自在に保持する移動側ボールリテーナーを介して移動側レールを摺動自在に保持する中間レールと、ボールを回転自在に保持する固定側ボールリテーナーを介して、中間レールを摺動自在に保持する固定側レールと、中間レールの伸長側端部内面で移動側レール側に取付けられた前ストッパー部材と、移動側レールの収縮側端部内面に取付られる後ストッパー部材よりなるスライドレールのストッパー装置において、後ストッパー部材は、移動側レールの収縮側端部内面に連結される後部材連結基部と、スライドレールの最大伸長時に、移動側ボールリテーナーの収縮側端部に当接する後部材ストッパー突部と、移動側レールの伸長時、移動側ボールリテーナーの収縮側端部に当接して弾性変形する後部材弾性ストッパー片を有し、連結基部と、後部材ストッパー突部と、後部材弾性ストッパー片は合成樹脂材にて一体に形成されると共に、後部材弾性ストッパー片は、その伸長側端面が後部材ストッパー突部の伸長側端面より所定寸法前方に位置し、スライドレールの最大伸長時には弾性変形した状態で連結基部との間に所定間隙を有するものである。
【００１３】
上記課題を解決する為、本発明が第７の手段として構成したところは、移動側レールと、ボールを回転自在に保持する固定側ボールリテーナーを介して、移動側レールを摺動自在に保持する固定側レールと、固定側レールの伸長側端部内面に取付けられる前ストッパー部材と、移動側レールの収縮側端部内面に取付られる後ストッパー部材よりなるスライドレールのストッパー装置において、後ストッパー部材は、移動側レールの収縮側端部内面に連結される後部材連結基部と、スライドレールの最大伸長時に、固定側ボールリテーナーの収縮側端部に当接する後部材ストッパー突部と、移動側レールの伸長時、固定側ボールリテーナーの収縮側端部に当接して弾性変形する後部材弾性ストッパー片を有し、連結基部と、後部材ストッパー突部と、後部材弾性ストッパー片は合成樹脂材にて一体に形成されると共に、後部材弾性ストッパー片は、その伸長側端面が後部材ストッパー突部の伸長側端面より所定寸法前方に位置し、スライドレールの最大伸長時には弾性変形した状態で連結基部との間に所定間隙を有するものである。
【００１４】
上記課題を解決する為、本発明が第８の手段として構成したところは、移動側レールと、ボールを回転自在に保持する移動側ボールリテーナーを介して移動側レールを摺動自在に保持する中間レールと、ボールを回転自在に保持する固定側ボールリテーナーを介して、中間レールを摺動自在に保持する固定側レールと、中間レールの伸長側端部内面で移動側レール側に取付けられた前ストッパー部材と、移動側レールの収縮側端部内面に取付られる後ストッパー部材よりなるスライドレールのストッパー装置において、後ストッパー部材は、移動側レールの収縮側端部内面に連結される後部材連結基部と、スライドレールの最大伸長時に、移動側ボールリテーナーの収縮側端部に当接する後部材ストッパー突部と、移動側レールの伸長時、移動側ボールリテーナーの収縮側端部に当接して弾性変形する後部材弾性ストッパー片と、固定側レールの収縮側端部に設けられた引き込みガイド部材に連係する引き込み係合部を有し、連結基部と、後部材ストッパー突部と、後部材弾性ストッパー片と、引き込み係合部は合成樹脂材にて一体に形成されると共に、後部材弾性ストッパー片は、その伸長側端面が後部材ストッパー突部の伸長側端面より所定寸法前方に位置し、スライドレールの最大伸長時には弾性変形した状態で連結基部との間に所定間隙を有するものである。
【００１５】
上記課題を解決する為、本発明が第９の手段として構成したところは、移動側レールと、ボールを回転自在に保持する固定側ボールリテーナーを介して、移動側レールを摺動自在に保持する固定側レールと、固定側レールの伸長側端部内面に取付けられる前ストッパー部材と、移動側レールの収縮側端部内面に取付られる後ストッパー部材よりなるスライドレールのストッパー装置において、後ストッパー部材は、移動側レールの収縮側端部内面に連結される後部材連結基部と、スライドレールの最大伸長時に、固定側ボールリテーナーの収縮側端部に当接する後部材ストッパー突部と、移動側レールの伸長時、固定側ボールリテーナーの収縮側端部に当接して弾性変形する後部材弾性ストッパー片と、固定側レールの収縮側端部に設けられた引き込みガイド部材に連係する引き込み係合部を有し、連結基部と、後部材ストッパー突部と、後部材弾性ストッパー片と、引き込み係合部は合成樹脂材にて一体に形成されると共に、後部材弾性ストッパー片は、その伸長側端面が後部材ストッパー突部の伸長側端面より所定寸法前方に位置し、スライドレールの最大伸長時には弾性変形した状態で連結基部との間に所定間隙を有するものである。
【００１６】
上記課題を解決する為、本発明が第１０の手段として構成したところは、移動側レールと、ボールを回転自在に保持する移動側ボールリテーナーを介して移動側レールを摺動自在に保持する中間レールと、ボールを回転自在に保持する固定側ボールリテーナーを介して、中間レールを摺動自在に保持する固定側レールと、中間レールの伸長側端部内面で移動側レール側に取付けられた前ストッパー部材と、移動側レールの収縮側端部内面に取付られる後ストッパー部材よりなるスライドレールのストッパー装置において、前ストッパー部材は、中間レールの伸長側端部内面に連結される連結基部と、スライドレールの最短収縮時に、移動側レールの伸長側端部に形成された移動側レール前端ストッパーが当接する前ストッパー突部と、移動側レールの収縮時、移動側レール前端ストッパーが当接して弾性変形する前弾性ストッパー片と、スライドレールの最大伸長時に、移動側ボールリテーナーの伸長側端部が当接する後ストッパー突部と、移動側レールの伸長時、移動側ボールリテーナーの伸長側端部が当接して弾性変形する後弾性ストッパー片を有し、連結基部と、前ストッパー突部と、前弾性ストッパー片と、後ストッパー突部と、後弾性ストッパー片は合成樹脂材にて一体に形成されると共に、前弾性ストッパー片は、その伸長側端面が前ストッパー突部の伸長側端面より所定寸法前方に位置し、スライドレールの最短収縮時には弾性変形した状態で連結基部との間に所定間隙を有し、後弾性ストッパー片は、その収縮側端面が後ストッパー突部の収縮側端面より所定寸法後方に位置し、スライドレールの最大伸長時には弾性変形した状態で連結基部との間に所定間隙を有し、後ストッパー部材は、移動側レールの収縮側端部内面に連結される後部材連結基部と、スライドレールの最大伸長時に、移動側ボールリテーナーの収縮側端部に当接する後部材ストッパー突部と、移動側レールの伸長時、移動側ボールリテーナーの収縮側端部に当接して弾性変形する後部材弾性ストッパー片を有し、連結基部と、後部材ストッパー突部と、後部材弾性ストッパー片は合成樹脂材にて一体に形成されると共に、後部材弾性ストッパー片は、その伸長側端面が後部材ストッパー突部の伸長側端面より所定寸法前方に位置し、スライドレールの最大伸長時には弾性変形した状態で連結基部との間に所定間隙を有するものである。
【００１７】
上記課題を解決する為、本発明が第１１の手段として構成したところは、移動側レールと、ボールを回転自在に保持する固定側ボールリテーナーを介して、移動側レールを摺動自在に保持する固定側レールと、固定側レールの伸長側端部内面に取付けられる前ストッパー部材と、移動側レールの収縮側端部内面に取付られる後ストッパー部材よりなるスライドレールのストッパー装置において、前ストッパー部材は、固定側レールの伸長側端部内面に連結される連結基部と、スライドレールの最短収縮時に、移動側レールの伸長側端部に形成された移動側レール前端ストッパーが当接する前ストッパー突部と、移動側レールの収縮時、移動側レール前端ストッパーが当接して弾性変形する前弾性ストッパー片と、スライドレールの最大伸長時に、固定側ボールリテーナーの伸長側端部が当接する後ストッパー突部と、移動側レールの伸長時、固定側ボールリテーナーの伸長側端部が当接して弾性変形する後弾性ストッパー片を有し、連結基部と、前ストッパー突部と、前弾性ストッパー片と、後ストッパー突部と、後弾性ストッパー片は合成樹脂材にて一体に形成されると共に、前弾性ストッパー片は、その伸長側端面が前ストッパー突部の伸長側端面より所定寸法前方に位置し、スライドレールの最短収縮時には弾性変形した状態で連結基部との間に所定間隙を有し、後弾性ストッパー片は、その収縮側端面が後ストッパー突部の収縮側端面より所定寸法後方に位置し、スライドレールの最大伸長時には弾性変形した状態で連結基部との間に所定間隙を有し、後ストッパー部材は、移動側レールの収縮側端部内面に連結される後部材連結基部と、スライドレールの最大伸長時に、固定側ボールリテーナーの収縮側端部に当接する後部材ストッパー突部と、移動側レールの伸長時、固定側ボールリテーナーの収縮側端部に当接して弾性変形する後部材弾性ストッパー片を有し、連結基部と、後部材ストッパー突部と、後部材弾性ストッパー片と、引き込み係合部は合成樹脂材にて一体に形成されると共に、後部材弾性ストッパー片は、その伸長側端面が後部材ストッパー突部の伸長側端面より所定寸法前方に位置し、スライドレールの最大伸長時には弾性変形した状態で連結基部との間に所定間隙を有するものである。
【００１８】
上記課題を解決する為、本発明が第１２の手段として構成したところは、移動側レールと、ボールを回転自在に保持する移動側ボールリテーナーを介して移動側レールを摺動自在に保持する中間レールと、ボールを回転自在に保持する固定側ボールリテーナーを介して、中間レールを摺動自在に保持する固定側レールと、中間レールの伸長側端部内面で移動側レール側に取付けられた前ストッパー部材と、移動側レールの収縮側端部内面に取付られる後ストッパー部材よりなるスライドレールのストッパー装置において、前ストッパー部材は、中間レールの伸長側端部内面に連結される連結基部と、スライドレールの最短収縮時に、移動側レールの伸長側端部に形成された移動側レール前端ストッパーが当接する前ストッパー突部と、移動側レールの収縮時、移動側レール前端ストッパーが当接して弾性変形する前弾性ストッパー片と、スライドレールの最大伸長時に、移動側ボールリテーナーの伸長側端部が当接する後ストッパー突部と、移動側レールの伸長時、移動側ボールリテーナーの伸長側端部が当接して弾性変形する後弾性ストッパー片を有し、連結基部と、前ストッパー突部と、前弾性ストッパー片と、後ストッパー突部と、後弾性ストッパー片は合成樹脂材にて一体に形成されると共に、前弾性ストッパー片は、その伸長側端面が前ストッパー突部の伸長側端面より所定寸法前方に位置し、スライドレールの最短収縮時には弾性変形した状態で連結基部との間に所定間隙を有し、後弾性ストッパー片は、その収縮側端面が後ストッパー突部の収縮側端面より所定寸法後方に位置し、スライドレールの最大伸長時には弾性変形した状態で連結基部との間に所定間隙を有し、後ストッパー部材は、移動側レールの収縮側端部内面に連結される後部材連結基部と、スライドレールの最大伸長時に、移動側ボールリテーナーの収縮側端部に当接する後部材ストッパー突部と、移動側レールの伸長時、移動側ボールリテーナーの収縮側端部に当接して弾性変形する後部材弾性ストッパー片と、固定側レールの収縮側端部に設けられた引き込みガイド部材に連係する引き込み係合部を有し、後部材連結基部と、後部材ストッパー突部と、後部材弾性ストッパー片と、引き込み係合部は合成樹脂材にて一体に形成されると共に、後部材弾性ストッパー片は、その伸長側端面が後部材ストッパー突部の伸長側端面より所定寸法前方に位置し、スライドレールの最大伸長時には弾性変形した状態で後部材連結基部との間に所定間隙を有するものである。
【００１９】
上記課題を解決する為、本発明が第１３の手段として構成したところは、移動側レールと、ボールを回転自在に保持する固定側ボールリテーナーを介して移動側レールを摺動自在に保持する固定側レールと、移動側レールの伸長側端部内面に取付けられた前ストッパー部材と、移動側レールの収縮側端部内面に取付られた後ストッパー部材よりなるスライドレールのストッパー装置において、前ストッパー部材は、固定側レールの伸長側端部内面に連結される連結基部と、スライドレールの最短収縮時に、移動側レールの伸長側端部に形成された移動側レール前端ストッパーが当接する前ストッパー突部と、移動側レールの収縮時、移動側レール前端ストッパーが当接して弾性変形する前弾性ストッパー片と、スライドレールの最大伸長時に、固定側ボールリテーナーの伸長側端部が当接する後ストッパー突部と、移動側レールの伸長時、固定側ボールリテーナーの伸長側端部が当接して弾性変形する後弾性ストッパー片を有し、連結基部と、前ストッパー突部と、前弾性ストッパー片と、後ストッパー突部と、後弾性ストッパー片は合成樹脂材にて一体に形成されると共に、前弾性ストッパー片は、その伸長側端面が前ストッパー突部の伸長側端面より所定寸法前方に位置し、スライドレールの最短収縮時には弾性変形した状態で連結基部との間に所定間隙を有し、後弾性ストッパー片は、その収縮側端面が後ストッパー突部の収縮側端面より所定寸法後方に位置し、スライドレールの最大伸長時には弾性変形した状態で連結基部との間に所定間隙を有し、後ストッパー部材は、移動側レールの収縮側端部内面に連結される後部材連結基部と、スライドレールの最大伸長時に、固定側ボールリテーナーの収縮側端部に当接する後部材ストッパー突部と、移動側レールの伸長時、移動側ボールリテーナーの収縮側端部に当接して弾性変形する後部材弾性ストッパー片と、固定側レールの収縮側端部に設けられた引き込みガイド部材に連係する引き込み係合部を有し、後部材連結基部と、後部材ストッパー突部と、後部材弾性ストッパー片と、引き込み係合部は合成樹脂材にて一体に形成されると共に、後部材弾性ストッパー片は、その伸長側端面が後部材ストッパー突部の伸長側端面より所定寸法前方に位置し、スライドレールの最大伸長時には弾性変形した状態で後部材連結基部との間に所定間隙を有するものである。
【発明の効果】
【００２０】
本発明の第１の手段として構成したところによると、レールに取付けられるストッパー部材を連結基部と、ストッパー突部と、弾性ストッパー片より合成樹脂材にて一体に形成したので、部品点数が削減でき、取付手間もかからない。又、スライドレールの最短収縮時、最大伸長時にレールのストッパー部分がストッパー突部に衝突しても金属音を発生することがない。更に、ストッパー部分がストッパー突部に衝突する手前で弾性ストッパー片が弾性変形する構成であるから、移動側レールが勢いよく摺動されても、衝突の衝撃を緩和することが出来る。又、スライドレールの最大伸長時、あるいは最短収縮時、弾性ストッパー片は弾性変形した状態で、連結基部との間に所定の間隙を有するよう構成されているから、弾性ストッパー片と連結基部との連続部分（前弾性ストッパー片の根元部分）に過剰な付加（衝撃荷重）がかからないので、繰り返しによる疲労も軽減され、耐久性が向上する。
【００２１】
本発明の第２の手段として構成したところによると、中間レールの伸長側端部に取付けられる前ストッパー部材に、連結基部と、前ストッパー突部と、前弾性ストッパー片より合成樹脂材にて一体に形成したので、部品点数が削減でき、取付手間もかからない。又、スライドレールの最短収縮時、移動側レールの移動側レール前端ストッパーが前ストッパー突部に衝突しても金属音を発生することがない。更に、前端ストッパーが前ストッパー突部に衝突する手前で前弾性ストッパー片が弾性変形する構成であるから、移動側レールが勢いよく収縮されても、衝突の衝撃を緩和することが出来る。又、スライドレールの最短収縮時、前弾性ストッパー片は弾性変形した状態で、連結基部との間に所定の間隙を有するよう構成されているから、前弾性ストッパー片と連結基部との連続部分（前弾性ストッパー片の根元部分）に過剰な付加（衝撃荷重）がかからないので、繰り返しによる疲労も軽減され、耐久性が向上する。
【００２２】
本発明の第３の手段として構成したところによると、第２の手段として構成したところを、固定側レール、移動側レールからなる、いわゆるシングルメンバーのスライドレールにも適用することができ、第２の手段同様の効果を有する。
【００２３】
本発明の第４の手段として構成したところによると、中間レールの伸長側端部に取付けられる前ストッパー部材に、連結基部と、後ストッパー突部と、後弾性ストッパー片より合成樹脂材にて一体に形成したので、部品点数が削減でき、取付手間もかからない。又、スライドレールの最大伸長時、移動側ボールリテーナーの伸長側端部が後ストッパー突部に衝突しても金属音を発生することがない。更に、移動側ボールリテーナーの伸長側端部が後ストッパー突部に衝突する手前で後弾性ストッパー片が弾性変形する構成であるから、移動側レールが勢いよく伸長されても、衝突の衝撃を緩和することが出来る。又、スライドレールの最大伸長時、後弾性ストッパー片は弾性変形した状態で、連結基部との間に所定の間隙を有するよう構成されているから、後弾性ストッパー片と連結基部との連続部分（前弾性ストッパー片の根元部分）に過剰な付加（衝撃荷重）がかからないので、繰り返しによる疲労も軽減され、耐久性が向上する。
【００２４】
本発明の第５の手段として構成したところによると、第４の手段として構成したところを、固定側レール、移動側レールからなる、いわゆるシングルメンバーのスライドレールにも適用することができ、第４の手段同様の効果を有する。
【００２５】
本発明の第６の手段として構成したところによると、移動側レールの収縮側端部に取付けられる後ストッパー部材に、後部材連結基部、後部材ストッパー突部と、後部材弾性ストッパー片を合成樹脂材にて一体に形成したので、部品点数が削減でき、取付手間もかからない。
又、スライドレールの最大伸長時、移動側ボールリテーナーの収縮側端部に後ストッパー突部に衝突しても金属音を発生することがない。更に、移動側ボールリテーナーの収縮側端部に後部材ストッパー突部が衝突する手前で後部材弾性ストッパー片が弾性変形する構成であるから、移動側レールが勢いよく伸長されても、衝突の衝撃を緩和することが出来る。又、スライドレールの最大伸長時、後部材弾性ストッパー片は弾性変形した状態で、後部材連結基部との間に所定の間隙を有するよう構成されているから、後部材弾性ストッパー片と後部材連結基部との連続部分（後部材弾性ストッパー片の根元部分）に過剰な付加（衝撃荷重）がかからないので、繰り返しによる疲労も軽減され、耐久性が向上する。
【００２６】
本発明の第７の手段として構成したところによると、第６の手段として構成したところを、固定側レール、移動側レールからなる、いわゆるシングルメンバーのスライドレールにも適用することができ、第６の手段同様の効果を有する。
【００２７】
本発明の第８の手段として構成したところによると、第６の手段として構成したところの効果に加え、後ストッパー部材を後部材ストッパー突部と、後部材弾性ストッパー片と、引き込み係合部を合成樹脂材にて一体に形成したので、引き込み機能を有するスライドレールに適用しても、引き込まれる側の部品点数を増加させることも無く、取り付けも容易である。
【００２８】
本発明の第９の手段として構成したところによると、第８の手段として構成したところを、固定側レール、移動側レールからなる、いわゆるシングルメンバーのスライドレールにも適用することができ、第８の手段として構成したところと同様の効果を有する
【００２９】
本発明の第１０の手段として構成したところによると、中間レールの伸長側端部に取付けられる前ストッパー部材を、連結基部と、前ストッパー突部と、前弾性ストッパー片と、後ストッパー突部と、後弾性ストッパー片から合成樹脂材にて一体に形成しているので、部品点数が削減でき、取付手間もかからない。又、移動側レールの収縮側端部に取付けられる後ストッパー部材を、後部材連結基部と、後部材ストッパー突部と、後部材弾性ストッパー片から合成樹脂材にて一体に形成しているので、部品点数が削減でき、取付手間もかからない。そして、スライドレールの最短収縮時、移動側レールの移動側レール前端ストッパーが前ストッパー突部に衝突しても金属音を発生することがない。さらに、前端ストッパーが前ストッパー突部に衝突する手前で前弾性ストッパー片が弾性変形する構成であるから、移動側レールが勢いよく収縮されても、衝突の衝撃を緩和することが出来る。又、スライドレールの最短収縮時、前弾性ストッパー片は弾性変形した状態で、連結基部との間に所定の間隙を有するよう構成されているから、前弾性ストッパー片と連結基部との連続部分（前弾性ストッパー片の根元部分）に過剰な付加（衝撃荷重）がかからないので、繰り返しによる疲労も軽減され、耐久性が向上する。
【００３０】
一方、スライドレールの最大伸長時、移動側ボールリテーナーの伸長側端部が後ストッパー突部に衝突し、移動側ボールリテーナーの収縮側端部に後部材ストッパー突部が衝突しても金属音を発生することがない。さらに、移動側ボールリテーナーの伸長側端部が後ストッパー突部に衝突する手前、あるいは、移動側ボールリテーナーの収縮側端部に後部材ストッパー突部が衝突する手前で、後弾性ストッパー片と後部材弾性ストッパー片が弾性変形する構成であるから、移動側レールが勢いよく伸長されても、衝突の衝撃を緩和することが出来る。
又、スライドレールの最大伸長時、後弾性ストッパー片と後部材弾性ストッパー片は弾性変形した状態で、連結基部あるいは後部材連結基部の間に所定の間隙を有するよう構成されているから、後弾性ストッパー片と連結基部の連続部分（後弾性ストッパー片の根元部分）、あるいは、後部材弾性ストッパー片と後部材連結基部の連続部分（後部材弾性ストッパー片の根元部分）に過剰な付加（衝撃荷重）がかからないので、繰り返しによる疲労も軽減され、耐久性が向上する。
【００３１】
本発明の第１１の手段として構成したところによると、第１０の手段として構成したところを、固定側レール、移動側レールからなる、いわゆるシングルメンバーのスライドレールにも適用することができ、第１０の手段として構成したところと同様の効果を有する
【００３２】
本発明の第１２の手段として構成したところによると、第１０の手段として構成したところの効果に加え、後ストッパー部材の後部材連結基部と、後部材ストッパー突部と、後部材弾性ストッパー片と、引き込み係合部を合成樹脂材にて一体に形成したので、引き込み機能を有するスライドレールに適用しても、引き込まれる側の部品点数を増加させることも無く、取り付けも容易である。
【００３３】
本発明の第１３の手段として構成したところによると、第１２の手段として構成し                          
たところを、固定側レール、移動側レールからなる、いわゆるシングルメンバーのスライドレールにも適用することができ、第１１の手段として構成したところと同様の効果を有する。
【図面の簡単な説明】
【００３４】
【図１】本発明を具備した第１実施例のスライドレールの最短収縮状態の斜視図で          ある。
【図２】スライドレールの基本断面図である。
【図３】スライドレールの最大伸長状態の斜視図である。
【図４】中間レールと前ストッパー部材の関係を示す斜視図である。
【図５】前ストッパー部材の斜視図である。
【図６】後ストッパー部材と移動側レールの関係を示す斜視図である。
【図７】後ストッパー部材を移動側レールから取外した状態の斜視図である。
【図８】前弾性ストッパー片に移動側レール前端ストッパーが当接する手前の説明              図である。
【図９】前弾性ストッパー片に移動側レール前端ストッパーが当接した状態の説明          図である。
【図１０】前ストッパー突部に移動側レール前端ストッパーが衝突した状態の説明図                                              である。
【図１１】移動側ボールリテーナーが後弾性ストッパーに当接する手前の説明図であ                  る。
【図１２】移動側ボールリテーナーが後弾性ストッパーに当接した状態の説明図であ              る。
【図１３】移動側ボールリテーナーが後ストッパー突部に衝突した状態の説明図であ              る。
【図１４】後部材弾性ストッパーが移動側ボールリテーナーに当接する手前の説明図                                              図である。
【図１５】後部材弾性ストッパーが移動側ボールリテーナーに当接した状態の説明図          である。
【図１６】後部材ストッパー突部が移動側ボールリテーナーに当接した状態の説明図          である。
【図１７】引き込み係合部が引き込みガイド部材に係合する手前の説明図である。
【図１８】引き込み係合部が引き込みガイド部材に係合した状態の説明図である。
【図１９】引き込み係合部が引き込みガイド部材に引き込まれた状態の説明図である。
【図２０】本発明を具備した第２実施例のスライドレールの最大伸長状態の斜視図で          ある。
【図２１】第２実施例のスライドレールの基本断面図である。
【発明を実施するための最良の形態】
【００３５】
本発明は、移動側レールと、ボールを回転自在に保持する移動側ボールリテーナーを介して移動側レールを摺動自在に保持する中間レールと、ボールを回転自在に保持する固定側ボールリテーナーを介して、中間レールを摺動自在に保持する固定側レールと、中間レールの伸長側端部内面で移動側レール側に取付けられた前ストッパー部材と、移動側レールの収縮側端部内面に取付られた後ストッパー部材よりなるスライドレールのストッパー装置において、前ストッパー部材は、中間レールの伸長側端部内面に連結される連結基部と、スライドレールの最短収縮時に、移動側レールの伸長側端部に形成された移動側レール前端ストッパーが当接する前ストッパー突部と、移動側レールの収縮時、移動側レール前端ストッパーが当接して弾性変形する前弾性ストッパー片と、スライドレールの最大伸長時に、移動側ボールリテーナーの伸長側端部が当接する後ストッパー突部と、移動側レールの伸長時、移動側ボールリテーナーの伸長側端部が当接して弾性変形する後弾性ストッパー片を有し、連結基部と、前ストッパー突部と、前弾性ストッパー片と、後ストッパー突部と、後弾性ストッパー片は合成樹脂材にて一体に形成されると共に、前弾性ストッパー片は、その伸長側端面が前ストッパー突部の伸長側端面より所定寸法前方に位置し、スライドレールの最短収縮時には弾性変形した状態で連結基部との間に所定間隙を有し、後弾性ストッパー片は、その収縮側端面が後ストッパー突部の収縮側端面より所定寸法後方に位置し、スライドレールの最大伸長時には弾性変形した状態で連結基部との間に所定間隙を有し、後ストッパー部材は、移動側レールの収縮側端部内面に連結される後部材連結基部と、スライドレールの最大伸長時に、移動側ボールリテーナーの収縮側端部に当接する後部材ストッパー突部と、移動側レールの伸長時、移動側ボールリテーナーの収縮側端部に当接して弾性変形する後部材弾性ストッパー片と、固定側レールの収縮側端部に設けられた引き込みガイド部材に連係する引き込み係合部を有し、後部材連結基部と、後部材ストッパー突部と、後部材弾性ストッパー片と、引き込み係合部は合成樹脂材にて一体に形成されると共に、後部材弾性ストッパー片は、その伸長側端面が後部材ストッパー突部の伸長側端面より所定寸法前方に位置し、スライドレールの最大伸長時には弾性変形した状態で後部材連結基部との間に所定間隙を有するものである。
【実施例】
【００３６】
スライドレールの基本的構成を図１、図２  図３に基づいて説明する。
スライドレール１００は、陳列棚等の本体の内面に連結ネジ等で連結される固定側レール１と、固定側レール１に対し、固定側ボールリテーナー３に回転自在に保持された複数個のボール３０・・・を介して摺動自在に設けられた中間レール４と、中間レール４に対し、移動側ボールリテーナー５に回転自在に保持された複数個のボール５０・・・を介して摺動自在に設けられた移動側レール２より構成され、中間レール４に対する移動側レール２の収縮方向への摺動を停止させる前ストッパー部材６が、移動側レール２側の内面で、中間レール４の伸長側端部に着脱自在に取付けられ、移動側ボールリテーナー５と前ストッパー部材６を介して、中間レール４に対する移動側レール２の前方向への摺動を停止させる後ストッパー部材７が、移動側レール２の収縮側端部に取付けられている。
【００３７】
以後、図１、図２で右下方向を伸長側、左上方向を収縮側として説明する。
すなわち、固定側レール１は、基板１０と、上下折曲縁１１、１１よりチャンネル型に形成され、上下折曲縁１１、１１内面側に位置する複数個のボール３０・・・を介して、中間レール４を摺動自在に保持している。
複数個のボール３０・・・は、合成樹脂材から成形された長尺平板状の固定側ボールリテーナー３に回転自在に保持され、固定側ボールリテーナー３は固定側レール１のほぼ３分の１程度の長さに形成されている。
【００３８】
そして、固定側レール１の基板１０の伸長側端部には、前記固定側ボールリテーナー３の伸長方向への摺動範囲を規制するリテーナー前ストッパー（図示せず。）が形成され、固定側レール１の収縮側端部内面には、移動側レール２が最短収縮状態となる手前から移動側レール２の収縮側端部に設けられた後ストッパー部材７に形成された引き込み係合部７２と連携して、移動側レール２を所定位置まで引き込み、その状態を維持する引き込みガイド部材８が着脱自在に設けられている。そして、引き込みガイド部材８の伸長側に、緩衝部材８０を介して中間レール４の収縮方向への摺動を停止させる中間レール後端ストッパー１３が形成されている。
【００３９】
中間レール４は、固定側レール１より、引き込みガイド部材８が取付けられる分、短い長さで、基板４０と上下折曲縁４１、４１より固定側レール１と同方向の略チャンネル型に形成され、上下折曲縁４１、４１の外面に、摺動方向に渡って前記ボール３０・・・が転動する外面側ボール摺動溝を有し、上下折曲縁４１、４１の内面に、摺動方向に渡ってボール５０・・・が転動する内面側ボール摺動溝を有している。そして、基板４０の収縮側の上下端部には、中間レール４の最大引出し時に、前記固定側レール１のリテーナー前ストッパー（図示せず。）に伸長側端部が当接した固定側ボールリテーナー３の収縮側端部に当接して、中間レール４の最大引出し量を規制するリテーナー後ストッパー（図示せず。）が形成され、基板４０の伸長側端部内面に、移動側レール２が最大伸長状態となった時、移動側ボールリテーナー５の伸長側端部が当接するとともに、移動側レール２が最短収縮状態となった時、移動側レール２の伸長側端部に形成された移動側レール前端ストッパー２３が当接する前ストッパー部材６が着脱自在に設けられている。
【００４０】
移動側レール２は、固定側レール１とほぼ同長に形成され、移動側ボールリテーナー５に保持されたボール５０・・・を介して中間レール４に摺動自在な大きさで、金属製の細条板の短手両端部を外向き円弧状に折り曲げて形成され、外面長手方向にボール５０・・・のボ−ル摺動溝を有する上下折曲縁２１、２１と基板２０より断面略Ｃ字型に形成されている。
【００４１】
そして、基板２０の収縮側端部には、移動側レール２の最大伸長時に、前記中間レール４の前ストッパー部材６に伸長側端部が当接して停止した移動側ボールリテーナー５の収縮側端部に当接して、移動側レール２の最大伸長量を規制する後ストッパー部材７が着脱自在に設けられている。
そして、基板２０の伸長側端部には、移動側レール２が最短収縮状態となった時、中間レール４に設けられた前ストッパー部材６の収縮側端部に当接する移動側レール前端ストッパー２３が形成されている。
【００４２】
移動側ボールリテーナー５は、帯状金属板にて中間レール４の半分程度の長さとし、前記中間レール４と移動側レール２の基板２０、４０間に挿入可能な大きさのコ字形基板５００と、コ字形基板５００の上下両端部よりＬ字形に突出し、中間レール４と移動側レール２の各上下折曲縁４１、４１、２１、２１間に位置する上下突出縁５１、５１より断面略コ字形に形成され、上下突出縁５１、５１の摺動方向に複数個のボール５０・・・を回転自在に保持している。
【００４３】
スライドレール１００は、上記の如く構成され、固定側レール１に対する中間レール４の伸長方向への摺動、中間レール４に対する移動側レール２の伸長方向への摺動は次のようになる。
中間レール４が固定側レール１に対し伸長方向に摺動すると、同時に、固定側ボールリテーナー３も中間レール４の移動量の半分の移動量をもって伸長側に移動し、やがて、固定側ボールリテーナー３の伸長側端部は固定側レール１のリテーナー前ストッパー（図示せず。）に当接して停止し、同時に、中間レール４のリテーナー後端ストッパー（図示せず。）がリテーナー前ストッパー（図示せず。）に当接した固定側ボールリテーナー３の収縮側端部に当接して停止する。この時、固定側ボールリテーナー３は合成樹脂材より形成されているので不快な金属音を発することはない。
【００４４】
又、中間レール４に対し移動側レール２が伸長方向に摺動すると、移動側ボールリテーナー５も移動側レール２の移動量の半分の移動量をもって伸長方向に移動し、やがて、移動側ボールリテーナー５の伸長側端部が中間レール４の前ストッパー部材６の収縮側端部に当接して停止し、同時に移動側ボールリテーナー５の収縮側端部に、移動側レール２の後ストッパー部材７が当接して移動側レール２が停止する。
【００４５】
一方、固定側レール１に対する中間レール４の収縮方向への摺動、中間メンバー４に対する移動側レール２の収縮方向への摺動は次のようになる。中間レール４が固定側レール１に対し収縮方向に摺動すると、同時に固定側ボールリテーナー３も中間レール４の移動量の半分の移動量をもって収縮方向に移動し、やがて、中間レール４の収縮側端部が、緩衝部材を介して中間レール後端ストッパー１３に当接し、中間レール４の摺動が停止する。この時、中間レール後端ストッパー１３には緩衝部材８０が取り付けられているので、不快な金属音が発生することはない。
【００４６】
一方、中間レール４に対し移動側レール２が収縮側に摺動すると、移動側ボールリテーナー５も移動側レール２の移動量の半分の移動量をもって収縮方向に移動し、やがて、移動側レール２の収縮側端部に設けられた後ストッパー部材７の引き込み係合部７２が、固定側レール１に取付られた引き込みガイド部材８に連係し、移動側レール２が自動的に収縮側に引き込まれ、同時に、移動側レール２の伸長側端部に形成された移動側レール前端ストッパー２３が、中間レール４の前ストッパー部材６の伸長側端面に当接して停止し、スライドレール１００の最短収縮状態が維持される。
【００４７】
次に、前ストッパー部材６、後ストッパー部材７、引き込みガイド部材８の具体的構成について説明する。
前ストッパー部材６は、中間レール４の基板４０の内面に位置する摺動方向に長めで偏平な直方体に形成された連結基部６１と、連結基部６１の上下端部で、基板４０側によった箇所で上下方向に突出し、中間レール４の上下折曲縁１、４１の内面側に嵌合圧接する上下嵌合翼片６２、６２と、中間レール４の上下折曲縁４１、４１に形成された上下切り欠き嵌合部４１１、４１１に嵌合し、前ストッパー部材６の摺動方向への移動を阻止する、上下嵌合翼片６２、６２の収縮側端部に上下方向に突出して設けられた上下嵌合突部６３、６３と、前後ストッパー突部６４、６５と前後弾性ストッパー片６６、６７を有している。
【００４８】
前ストッパー突部６４は、連結基部６１の上端部の伸長側端部で伸長方向に突出し、前弾性ストッパー片６６は、前ストッパー突部６４の下方で、下端部が連結基部６１の下端部に連設され、連結基部６１の伸長側端面（前端面）から所定間隔を有し、上端部が前記前ストッパー突部６４より伸長側（前方）に突出し、移動側レール２の最短収縮時の手前で、移動側レール前端ストッパー２３に当接し、移動側レール２が最短収縮状態となったとき（移動側レール前端ストッパー２３が前ストッパー突部６４に当接した状態のとき）、弾性変形した状態で、連結基部６１の伸長側端面との間に所定間隙を有するものである。
【００４９】
後ストッパー突部６５は、連結基部６１の上端部の収縮側端部で収縮方向に突出し、後弾性ストッパー片６７は、後ストッパー突部６５の下方で、下端部が連結基部６１の下端部に連設され、連結基部６１の収縮側端面（後端面）から所定間隔を有し、上端部が前記後ストッパー突部６５より収縮側（後方）に突出し、移動側レール２の最大伸長時の手前で、移動側ボールリテーナー５の伸長側端部に形成されて移動側ボールリテーナー前端ストッパー５３（図４に示す。）が当接し、移動側レール２が最大伸長状態となったとき、弾性変形した状態で、連結基部６１の収縮側端面との間に所定間隙を有するものである。
そして、連結基部６１、上下嵌合翼片６２、６２、上下嵌合突部６３、６３、前後ストッパー突部６４、６５、前後弾性ストッパー片６６、６７は合成樹脂材より一体に成形されている。
【００５０】
尚、前弾性ストッパー片６６と後弾性ストッパー片６７の形状が相違するのは、前弾性ストッパー片６６は、移動側レール２の移動側レール前端ストッパー２３が当接し、後弾性ストッパー片６７は、移動側ボールリテーナー前端ストッパー５３（移動側ボールリテーナー５の基板５００の伸長側端面）が当接する構成であるから前ストッパー部材６の連結基部６１の伸長側のほうが収縮側の当接箇所の高さ寸法より大きく構成できる。したがって、前ストッパー突部６４も強度的に十分な高さ寸法に成形することができ、前弾性ストッパー片６６は、伸長側に向かって斜め上方に突出した弾性部分のみからなる簡単な形状に構成することができる。
【００５１】
一方、連結基部６１の収縮側の当接箇所は、伸長側に比べて高さ寸法が小さいので、後ストッパー突部６４を強度的に十分な高さ寸法に構成できない。したがって、後弾性ストッパー片６７にも、衝撃を緩和する機能だけでなく、後ストッパー突部６５と同様の機能も求められる。よって、後弾性ストッパー片６７は、連結基部６１との連設箇所を、後ストッパー突部６５と同寸法収縮側に突出させて、移動側レール２の最大伸長時には後ストッパー突部６５と共に移動側レール２の摺動を停止させる後ストッパー下突部６７１と、後ストッパー下突部６７１のやや伸長側で、上方に収縮側端部が後ストッパー突部６５よりやや収縮側に突出する逆Ｌ字形の弾性変形部６７２からなる形状に構成されている。
そして、加工精度、成形精度を考慮するとともに、確実な消音効果を得るため、前ストッパー突部６４の伸長側端面が、中間レールの伸長側端面より伸長方向やや突出する状態に、前ストッパー部材６は中間レール４に着脱自在に連結される。（図８に示す状態。）
【００５２】
後ストッパー部材７は、移動側レール２の収縮側端部（後端部）内面に連結される後部材連結基部７１と、前記引き込みガイド部材８と連携する、後部材連結基部７１の収縮側（後端側）に連接された引き込み係合部７２と、後部材ストッパー突部７３と、後部材弾性ストッパー片７４より構成されている。
【００５３】
そして、後部材ストッパー突部７３は、後部材連結基部７１の下端部で伸長方向に突出し、スライドレール１００の最大伸長時に、移動側ボールリテーナー５の収縮側端部（後ろ端部）に当接する。
後部材弾性ストッパー片７４は、後部材ストッパー突部７３の上方で、上端の後部材連結基部７１との連設箇所を、後部材ストッパー突部７３と同寸法伸長側に突出させた、移動側レール２の最大伸長時には、後部材ストッパー突部７３と共に、移動側レール２の摺動を停止させる後部材ストッパー上突部７４１と、後部材ストッパー上突部７４１のやや収縮側で、下方に伸長側端部が後部材ストッパー突部７３よりやや伸長側に突出するＬ字形の弾性前変形部７４２からなる形状に構成されている。
【００５４】
そして、移動側レール２の最大伸長時の手前で、移動側ボールリテーナー５の収縮側端部（後端部）に当接し、移動側レール２が最大伸長状態となったとき、弾性変形した状態で、後部材連結基部７１の収縮側端面（前端面）との間に所定間隙を有するものである。
【００５５】
さらに、後部材連結基部７１には、移動側レール２の基板２０の収縮側端部（後端部）に形成された連結用突片２０１（図７に示す。）に外嵌する取付用嵌合孔７１１が形成され、引き込み係合部７２の収縮側端部に移動側レール２の基板２０の収縮側端面（後端面）に当接する補強用突条７２０が連設されている。
又、後部材連結基部７１と、引き込み係合部７２、後部材ストッパー突部７３、後部材弾性ストッパー片７４と、補強用突条７２０は合成樹脂材より一体に成形されている。
【００５６】
引き込み係合部７２と引き込みガイド部材８の構成、作用の詳細については、すでに特開２００３−２３６７７５号公報に記載されているので、以下、要点のみ説明する。
引き込みガイド部材８は、案内用基板８１と、案内用基板に形成された引き込み案内講８２と、引き込み案内講８２の伸長側端部に連設された案内係止溝８３と、引き込み案内講８２及び案内係止溝８３に臨む係止突起８４が形成された係止体８５と、一端が係止体８５を貫挿し、他端が案内用基板８１に保持されたねじりコイルばね８６より構成されている。
【００５７】
後ストッパー部材７に形成された引き込み係合部７２（図１４、１５、１６に示す。）には、収縮側端部が開口し、係止突起８４が収縮側端部から挿通可能な大きさの係止突起挿通溝７２１が形成され、係止突起挿通溝７２１の伸長側端部下面から上方にかけて、係止突起挿通溝７２１内の係止突起８４を引き込み案内講８２に案内する円弧状の脱出案内面７２２が連設されている。
又、円弧状の脱出案内面７２２の上方で、係止突起挿通溝７２１の上側に位置して、係止突起８４を係止する大きさの係合部７２３が形成され、係合部７２３の収縮側には係合部７２３とほぼ同形の補助係合部７２４が形成され、補助係合部７２４の収縮側には押し下げ傾斜面７２５が形成されている。
【００５８】
引き込みガイド部材８と引き込み係合部７２は上記の如く構成され、移動側レール２が固定側レール１に引き込まれた状態（図１９に示す状態。）で、係止突起８４と引き込み案内溝８２の収納側端面間に所定寸法の間隙を設けることにより、ねじりコイルばね８６の反撥力によって、移動側レール２（引き込み係合部７２）に常に引き込み力を付与している。
この状態から、移動側レール２が引き出されると、係止突起８４が引き込み係合部７２の係合部７２３に係合しているので、係止突起８４は引き込み案内溝８２内を伸長側に移動する。
【００５９】
すなわち、係止体８５の伸長側への移動に伴って、ねじりコイルばね８６は、コイル部を中心点として、案内係止溝８３の方向に回動する。
そして、係止体５５の係止突起８４が引き込み案内溝８２内を案内係止溝８３方向に移動し（図１８に示す状態）、さらに、移動側レール２が伸長側引き出されると、案内係止溝８３は伸長方向に傾斜しているので、係止突起８４は案内係止溝８３内を伸長側の下方に移動し、案内係止溝８３の伸長側端部に達する。（図１７に示す状態）
この状態で、ねじりコイルばね８６の脚部は収縮方向に回動するよう付勢され、案内係止溝８３は、伸長方向で下方に傾斜しているので、係止突起８４は、案内係止溝８３の伸長側端部で、下方に移動する方向に付勢されるから、不用意に上方に移動し引き込み案内溝８２内に引き込まれることがなく、移動側レール２（引き込み係合部７２）は引き込みガイド部材８から逸脱して伸長方向に移動する。
【００６０】
次に、引き出された移動側レール２が収縮されていくと（図１７から図１９に示す状態）、引き込み係合部７２の脱出案内面７２２が、係止突起８４に当接しながら、案内係止溝８３内を上方でかつ収縮方向に移動させ、やがて、引き込み案内溝８２の伸長側端部で、係止突起８４が係合部７２３に係止すると同時に、ねじりコイルばね８６の反撥力によって移動側レール２（係止突起８４と移動側レール１に設けられた後ストッパー部材７）は引き込まれ、移動体の一部（例えば引出しの正面板）が固定体の一部（例えばキャビネットの前面）に当接し、移動側レール２は停止する。（図１９に示す状態。）
【００６１】
次に、第２実施例のスライドレール１００に本発明のストッパー部材を取り付けたスライドレールのストッパー装置について説明する。
第２実施例のスライドレール１００は、図２０、図２１に示すように固定側レール１と、  移動側ボールリテーナー５に回転自在に保持されたボール５０・・・を介して、固定側レール１に摺動自在に保持された移動側レール２より構成された、いわゆる、シングルレールである。
【００６２】
以後、図２０で右下方向を伸長側、左上方向を収縮側として説明する。
すなわち、固定側レール１は、基板１０と、上下折曲縁１１、１１よりチャンネル型に形成され、上下折曲縁１１、１１内面と移動側レール２の外面間に位置する複数個のボール５０・・・を介して、移動側レール２を摺動自在に保持している。複数個のボール５０・・・は、固定側レール１のほぼ３分の１程度の長さとなした移動側ボールリテーナー５・・・に回転自在に保持されている。
【００６３】
そして、固定側レール１の基板１０の伸長側端部内面に、移動側レール２が最大伸長状態となった時、移動側ボールリテーナー５の伸長側端部が当接するとともに、移動側レール２が最短収縮状態となった時、移動側レール２の伸長側端部に形成された移動側レール前端ストッパー２３が当接する前ストッパー部材６が着脱自在に設けられている。
又、固定側レール１の収縮側端部内面には、移動側レール２が最短収縮状態となる手前から移動側レール２を所定位置まで引き込み、その状態を維持する引き込みガイド部材８が着脱自在に設けられている。
【００６４】
移動側レール２は、固定側レール１より、引き込みガイド部材８が取付けられる分、短い長さで、移動側ボールリテーナー５に保持されたボール５０・・・を介して固定側レール１に摺動自在な大きさで、金属製の細条板の短手両端部を外向き円弧状に折り曲げて形成された、外面長手方向にボール５０・・・のボ−ル摺動溝を有する上下折曲縁２１、２１と基板２０より断面略Ｃ字型に形成されている。
【００６５】
そして、基板２０の伸長側端部には、最短収縮状態で、固定側レール１の前ストッパー部材６に当接して摺動が停止する移動側レール前端ストッパー２３が形成され、収縮側端部には、移動側レール２の最大伸長時に、固定側レール１の前ストッパー部材６に伸長側端部が当接して停止する移動側ボールリテーナー５の収縮側端部に当接して、移動側レール２の最大伸長量を規制する後ストッパー部材７が着脱自在に設けられている。
【００６６】
移動側ボールリテーナー５は、帯状金属板にて移動側レール２の半分程度の長さとし、前記固定側レール１と移動側レール２の基板１０、２０間に挿入可能な大きさのコ字形基板５００と、コ字形基板５００の上下両端部よりＬ字形に突出し、固定側レールと移動側レール２の各上下折曲縁１１、１１、２１、２１間に位置する上下突出縁５１、５１より断面略コ字形に形成され、上下突出縁５１、５１の摺動方向に複数個のボール５０・・・を回転自在に保持している。
【００６７】
スライドレール１００は、上記の如く構成され、固定側レール１に対する移動側レール２の伸長方向への摺動は次のようになる。
移動側レール２が固定側レール１に対し伸長方向に摺動すると、同時に、移動側ボールリテーナー５も移動側レール２の移動量の半分の移動量をもって伸長側に移動し、やがて、移動側ボールリテーナー５の伸長側端部は固定側レール１に設けられた前ストッパー部材６の収縮側端部に当接して停止し、同時に移動側ボールリテーナー５の収縮側端部に、移動側レール２の後ストッパー部材７が当接して移動側レール２が停止する。
【００６８】
一方、固定側レール１に対する移動側レール２の収縮方向への摺動は次のようになる。移動側レール２が固定側レール１に対し収縮方向に摺動すると、移動側ボールリテーナー５も移動側レール２の移動量の半分の移動量をもって収縮方向に移動し、やがて、移動側レール２の収縮側端部に設けられた後ストッパー部材７の引き込み係合部７２が、固定側レール１に取付られた引き込みガイド部材８に連係し、移動側レール２が自動的に収縮側に引き込まれ、同時に、移動側レール２の伸長側端部に形成された移動側レール前端ストッパー２３が、固定側レール１の前ストッパー部材６の伸長側端面に当接して停止し、スライドレール１００の最短収縮状態が維持される。（このとき、第１実施例同様、前ストッパー突部６４の伸長側端面が、固定側レール１の伸長側端面より伸長方向やや突出する状態に、前ストッパー部材６は固定側レール１に着脱自在に連結されているので、加工精度、成形精度の若干の誤差があっても、確実な消音効果を得ることができる。）
そして、第２実施例のスライドレール１００に取付けられる前ストッパー部材６、後ストッパー部材、引き込みガイド部材８の構成、作用は、第１実施例の場合と同様であるから、説明は省略する。
【符号の説明】
【００６９】
１                固定側レール
１００            スライドレール
２                移動側レール
２３              移動側レール前端ストッパー
３                固定側ボールリテーナー
３０              ボール
４                中間レール
５                移動側ボールリテーナー
５０              ボール
６                前ストッパー部材
６１              連結基部
６４              前ストッパー突部
６５              後ストッパー突部
６６              前弾性ストッパー片
６７              後弾性ストッパー片
７                後ストッパー部材
７１              後部材連結基部    
７２              引き込み係合部
７３              後部材ストッパー突部
７４              後部材弾性ストッパー片
８                引き込みガイド部材
【図１】
2015195958.tif 000003
【図２】
2015195958.tif 000004
【図３】
2015195958.tif 000005
【図４】
2015195958.tif 000006
【図５】
2015195958.tif 000007
【図６】
2015195958.tif 000008
【図７】
2015195958.tif 000009
【図８】
2015195958.tif 000010
【図９】
2015195958.tif 000011
【図１０】
2015195958.tif 000012
【図１１】
2015195958.tif 000013
【図１２】
2015195958.tif 000014
【図１３】
2015195958.tif 000015
【図１４】
2015195958.tif 000016
【図１５】
2015195958.tif 000017
【図１６】
2015195958.tif 000018
【図１７】
2015195958.tif 000019
【図１８】
2015195958.tif 000020
【図１９】
2015195958.tif 000021
【図２０】
2015195958.tif 000022
【図２１】
2015195958.tif 000023